(57)【特許請求の範囲】
【請求項１】
穀稈を株元側から穂先側に作用させて引起す複数個の引起し装置１１を少くとも複数の引起し通路を形成すべく左右横方向に並置させて設けると共に、各引起し通路の上方を開放させてなる穀稈引起し装置において、隣り合う引起し装置１１ｂ，１１ｃの前面には引起し作用終端部近くにおいてその引起ラグ位置より最も前方に遠く離間するよう膨出する側面視略くの字型の分草杆１８を突設させて設け、さらに、前記隣り合う引起し装置１１ｂ，１１ｃの引起しケース１２，１２には前記分草杆１８を挾む前方左右両外側方に向けてエアーを噴出するエアー噴出口３０を設け、コンプレッサー３１によってエアーを前記噴出口３０から吹き出して分草杆１８による分離作用中の穀稈に対してエアーを吹き付けて分草させると共に、分草杆１８に絡んだ雑草を除去するように構成したことを特徴とするコンバインの穀稈分草引起し装置。
【発明の詳細な説明】
【０００１】
【産業上の利用分野】
本発明は、コンバインの穀稈分草引起し装置に関する。
【０００２】
【従来の技術】
従来、複数個の引起し装置を並設して、複数の引起し通路を構成すると共に、各引起し通路の上方を開放してなる多条刈り引起し装置にあっては、隣り合う引起し通路の間における引起し装置の上部に稈や雑草が絡み付き、これが穂先部の搬送抵抗となって姿勢に乱れが生じ、後行程での搬送装置への引継ぎ部において詰りを生じさせる要因となっていた。
【０００３】
【発明が解決しようとする課題】
この発明は、引起し装置の上部に稈や雑草が絡み付く以前に、分草杆とエアーの作用により予め分離して上記問題点を解消せんとするものである。この目的達成のため、本発明は次のような技術的手段を講じた。
【０００４】
【課題を解決するための手段】
すなわち、本発明にかかる技術的手段は、穀稈を株元側から穂先側に作用させて引起す複数個の引起し装置１１を少くとも複数の引起し通路を形成すべく左右横方向に並置させて設けると共に、各引起し通路の上方を開放させてなる穀稈引起し装置において、隣り合う引起し装置１１ｂ，１１ｃの前面には引起し作用終端部近くにおいてその引起ラグ位置より最も前方に遠く離間するよう膨出する側面視略くの字型の分草杆１８を突設させて設け、さらに、前記隣り合う引起し装置１１ｂ，１１ｃの引起しケース１２，１２には前記分草杆１８を挾む前方左右両外側方に向けてエアーを噴出するエアー噴出口３０を設け、コンプレッサー３１によってエアーを前記噴出口３０から吹き出して分草杆１８による分離作用中の穀稈に対してエアーを吹き付けて分草させると共に、分草杆１８に絡んだ雑草を除去するように構成したことを特徴とするコンバインの穀稈分草引起し装置としたものである。
【０００５】
【作用】
引起し作用時において、隣り合う引起し通路の間における引起し装置の前面に穂先の絡み合った状態で凭れかからんとする穀稈は、この前面に設けた分草杆により左右に分離されて左右の引起し通路内に導かれる。稈切れや雑草などは分草杆の前方に向けての膨出部により引起し装置の前面から前方に引き離されると共に、引起し装置の上部を経て後方に持ち回りされてそのまま下方に案内落下されることになる。さらに、分草杆１８による分離作用中の穀稈に対してエアーを吹き付けて分草させると共に、分草杆１８に絡んだ雑草を除去する。
【０００６】
【発明の効果】
従って、この発明によれば、穂先の絡んだ穀稈にあっても、分草杆により確実に分離して左右の引起し通路内に導くことができ、引起し装置の上部に稈や雑草の絡み付きもなく、引起し装置から後方の搬送装置への穀稈の受渡しが乱れなくスム−スに行われるものである。さらに、分草杆１８による分離作用中の穀稈に対してエアーが積極的に吹き付けられるので、分草効果をより高めることができるようになる。また、分草杆１８に絡んだ雑草も容易に除去することができるようになる。
【０００７】
【実施例】
以下本発明の１実施例を図面に基づいて説明する。
図例におけるコンバインは、機体１の下部に走行クロ−ラ２を具備し、上部には脱穀装置３を載置し、前部には油圧シリンダ−４機構により昇降自在の刈取部５を懸架した構成としている。
【０００８】
刈取部５は、昇降する刈取フレ−ム６の下端部に刈取ギヤボックス７が設けられ、この刈取ギヤボックス７には、両端側及び中側から地面へ沿うべく前方へ伸びる４本の分草支持杆８ａ，８ｂ，８ｃ，８ｄと、該各分草支持杆８の先端には各々穀稈を分草する分草体９，９…が設けられ、この分草体９の後側には後方上方に傾斜し、横向き突出姿勢の引起ラグ１０を上方に移行させながら穀稈を引起す引起し装置１１を設け、この引起し装置１１の後方下部に穀稈を刈取る刈取装置１４を設けている。
【０００９】
そして、前記引起し装置１１は、左右二つの引起し通路Ｄ1，Ｄ2によって３条の穀稈を引起すべく三つの穀稈引起し装置１１ａ，１１ｂ，１１ｃを横方向所定間隔置きに並設してあると共に、該引起し通路Ｄ1，Ｄ2の上方を開放した構成としている。
１２は引起し装置１１の引起しケ−スで、前面ケ−ス１２ａと後面ケ−ス１２ｂとからなる。１３はラグガイド板である。Ｅは引起しラグ１０による引起し作用終端部を示し、このＥ位置時点から引起しラグ１０が倒伏してケ−ス内に収納されるようになっている。
【００１０】
１５は刈取後の穀稈を後方に掻込搬送する掻込搬送装置、１６は掻込搬送後の穀稈を引き継いで後方上方に揚上搬送し脱穀装置３のフイ−ドチエン１７に受け渡す揚上搬送装置である。
そして、前記引起し装置１１において、隣り合う引起し通路Ｄ1，Ｄ2間におけ引起し装置１１ｂの前面には、引起し作用終端部Ｅ近くにおいてその引起ラグ位置より最も前方に遠く離間するよう膨出する側面視略くの字型の分草杆１８を突設している。
【００１１】
該分草杆１８は、前方上方に向けて傾斜する前傾斜部１８ａと、引起し作用終端部Ｅ点から前方延長線（イ）上において前方に大きく突出する膨出部１８ｂと、この膨出部から後方上方に傾斜する後傾斜部１８ｃとからなり、そして、この分草杆の前方下端部は前記分草支持杆８ｂの先端部にボルト１９により着脱可能にに固着すると共に、後方上端部は引起し装置１１ｂの上端部を迂回してこの背部の取付ステ−２０にボルト２１を介して着脱自在に固着している。
【００１２】
図５〜図７に示す実施例について説明すると、図６に示す引起し装置１１は、左右２条づつの引起し通路Ｄ2，Ｄ2によって４条の穀稈を引起すべく四つの穀稈引起し装置１１ａ，１１ｂ，１１ｃ，１１ｄを横方向所定間隔置きに並設した構成としている。そして、中央側の引起し装置１１ｂ，１１ｃ間の前方には湾曲する回転分草杆２２を縦軸芯Ｙ周りに回転駆動自在に軸架させている。この回転分草杆２２は、前記各引起し装置１１を駆動する横伝動軸２３からベベルギヤ機構２４、これより前方に向けて突設する伝動パイプ２５内の伝動軸２６、先端の伝動ケ−ス２７内のベベルギヤ機構２８及び縦駆動軸２９を介して回転駆動されるように連動構成している。回転分草杆２２は引起し装置１１の前面近くに設定しておくと、高速刈り時には穀稈を分草杆で分離する間がなくなり、穀稈が先に引起しケ−スに凭れかかって絡み付き、強引に引き千切られるなどの問題があった。
【００１３】
本実施例においては、回転分草杆２２を引起し装置１１のケ−ス前面から前方に大きく離間させた状態に設置してあるため、互いに絡み合った穀稈にあっても左右に押し分けながら引起し装置に達するまでに確実に分離される。
図８及び図９に示す実施例では、引起し装置１１ｂ，１１ｃの前面に設ける分草杆１８は本発明の前記図３に示す実施例と同じように側面視略くの字型形状とするが、その隣り合う引起しケ−ス１２，１２には前記分草杆１８を挟む前方左右両外側方に向けてエア−を噴出するエア−噴出口３０を設け、コンプレッサ−３１によってエア−を噴出口３０から勢いよく吹き出すように構成している。従って、分草杆１８による分離作用中の穀稈に対してエア−が積極的に吹き付けられるので、分草効果をより高めることができるばかりでなく、分草杆１８に絡んだ雑草なども容易に除去することができる。
【図面の簡単な説明】
【図１】コンバイン要部の側面図である。
【図２】穀稈引起し装置の要部の正面図である。
【図３】同上要部の側面図である。
【図４】図２のＳ−Ｓ線断面図である。
【図５】コンバイン要部の側面である。
【図６】コンバイン要部の正面図である。
【図７】回転分草杆の伝動経路図を示す。
【図８】引起し装置の要部の正面図である。
【図９】同上要部の概略平面図である。
【符号の説明】
１    機体
２    走行クロ−ラ
３    脱穀装置
４    油圧シリンダ−機構
５    刈取部
６    刈取フレ−ム
７    刈取ギヤボックス
８    分草杆
９    分草体
１０    引起しラグ
１１ｂ 引起し装置
１１ｃ 引起し装置
１２    引起しケ−ス
１３    ラグガイド板
１４    刈取装置
１５    掻込搬送装置
１６    揚上搬送装置
１７    フイ−ドチエン
１８    分草杆
３０ エアー噴出口
３１ コンプレッサー
【図１】
0003588829.tif 000002
【図２】
0003588829.tif 000003
【図３】
0003588829.tif 000004
【図４】
0003588829.tif 000005
【図５】
0003588829.tif 000006
【図６】
0003588829.tif 000007
【図７】
0003588829.tif 000008
【図８】
0003588829.tif 000009
【図９】
0003588829.tif 000010